(57)【要約】      （修正有）【課題】高さと角度変化の調整が容易なマンホールの蓋装置の提供。【解決手段】路面のマンホールを塞ぐマンホールの蓋装置において、上蓋２３、底座２１及び調整装置を具え、該調整装置が該底座に延設された内ベース２２１と、該内ベースと係合する調整シート２２２を具え、該内ベースと調整シートに相互に対応し係合する階段形歯が設けられ、該調整シートの上に置かれる上蓋の昇降調整効果を達成し、路面の起伏変化に対応し、更に必要に応じて介装部材が組み合わされて、高さ調整範囲が拡大されるほか、路面の傾斜に合わせて簡単に傾斜角度の調整が行なえ、実際の作業の便利性を増すことができる。【選択図】図３
0003105464.tif 000002
【実用新案登録請求の範囲】
【請求項１】
マンホールの蓋装置において、底座、調整装置、上蓋を具え、
該底座は、路面に設けられた孔内に進入する環状壁を具え、且つ該環状壁で囲まれて収容空間が形成され、該環状壁より該収容空間に向けて環状リブが延伸され、
該調整装置は、該収容空間中に挿入され、該調整装置は該環状リブの上に設置される内ベースと調整シートを具え、該内ベースの周壁内周に複数の階段形歯が離間設置され、該調整シートの周壁外周に該階段形歯に対応する階段形歯が凸設され、該内ベースと調整シートが階段形歯の係合により相互に位置決めされ、
該上蓋は該調整シートを閉じるように調整シートの上に設置されることを特徴とする、マンホールの蓋装置。
【請求項２】
請求項１記載のマンホールの蓋装置において、調整シートの底座外部に突出する部分の周壁外側に保護環が嵌合されたことを特徴とする、マンホールの蓋装置。
【請求項３】
請求項２記載のマンホールの蓋装置において、底座の環状壁外周に複数の凸耳が離間設置され、保護環の該凸耳に対応する位置に複数の凸耳が設けられ、該凸耳を利用し固定手段により底座と保護環が固定されたことを特徴とする、マンホールの蓋装置。
【請求項４】
請求項１記載のマンホールの蓋装置において、底座の環状リブに複数の支持ブロックが相互に離間するよう凸設され、且つ該支持ブロックに位置決め溝が開設され、内ベースの周壁内側に凸環が凸設され、該凸環にあって該位置決め溝に対応する位置に開孔が設けられ、固定手段により底座と内ベースが固定されたことを特徴とする、マンホールの蓋装置。
【請求項５】
請求項１記載のマンホールの蓋装置において、環状リブと内ベースの間に介装部材が介装されたことを特徴とする、マンホールの蓋装置。
【請求項６】
請求項５記載のマンホールの蓋装置において、介装部材の一端面に傾斜面が形成されたことを特徴とする、マンホールの蓋装置。
【請求項７】
請求項１記載のマンホールの蓋装置において、上蓋に凹溝が開設され、該凹溝に可動手段が設けられ、別に上蓋に洩圧装置が設けられ、該洩圧装置が可動手段と協動して可動手段の凹溝における開閉を制御することを特徴とする、マンホールの蓋装置。
【請求項８】
請求項７記載のマンホールの蓋装置において、洩圧装置が上蓋に固定され且つ内部に設置空間を具えたベースと、該設置空間内に収容された弾性体、支持体を具え、該支持体が可動手段と協動することを特徴とする、マンホールの蓋装置。
【請求項９】
請求項１記載のマンホールの蓋装置において、上蓋に開口が開設され、別に該上蓋の該開口位置に対応する位置に係止装置が設けられ、該係止装置が、本体、弾性手段、支持棒、スイングアームを具え、
該本体は該上蓋に設けられ、且つ上蓋と固定された後に収容空間を形成し、
該弾性手段は収容空間内に収容され、
該支持棒は該収容空間中に収容され且つ弾性手段を貫通し、弾性手段の両端が該本体と該支持棒に当接し、該支持棒が係止端と、該係止端と反対の連結端を具え、該係止端が本体外に突出可能とされ、
該スイングアームは本体に枢設され、中心点が該開口に位置し、スイングアーム内に該開口と連通する係止溝が形成され、別に該スイングアームの自由端が支持棒の連結端と接続され、スイングアームの駆動により支持棒が移動し、該支持棒による調整シートに対する係止が制御され、該支持棒の伸縮にスイングアームの揺動が利用されて該上蓋の開閉が制御されることを特徴とする、マンホールの蓋装置。
【請求項１０】
請求項９記載のマンホールの蓋装置において、係止装置が連動ブロックが凸設されたロックキーを具え、該ロックキーが開口内に延伸可能で、且つ該連動ブロックがスイングアームの揺動を係止することを特徴とする、マンホールの蓋装置。
【請求項１１】
請求項１０記載のマンホールの蓋装置において、スイングアームの自由端と該支持棒の間に連接棒が連接され、該連接棒により支持棒が駆動されて移動することを特徴とする、マンホールの蓋装置。
【考案の詳細な説明】
【技術分野】
【０００１】
本考案は一種のマンホールの蓋装置に係り、特に、高さと角度変化の調整が容易なマンホールの蓋装置に関する。
【背景技術】
【０００２】
図１は周知のマンホールの蓋装置１であり、上蓋１１、調整シート１２及び底座１３を具えている。そのうち、底座１３より上向きに環状壁１３が凸設され、且つ該環状壁１３に囲まれた収容空間１３２があり、該環状壁１３１の内周に複数の階段形歯１３３が相互に離間するよう環状に配置され、また、調整シート１２の外周１２１に底座１３の階段形歯１３３に対応する複数の階段形歯１２２が設けられている。
【０００３】
図２に示されるように、使用時には、底座１３が路面に予め設けられた孔１４に設置され、該調整シート１２は該収容空間１３２内に設置され、この時、路面の高さに合わせて調整シート１２と底座１３の階段形歯１２２、１３３の係止位置が調整され、これにより調整シート１２の上の上蓋１１の昇降調整機能が達成される。
【０００４】
しかし、このような周知のマンホールの蓋装置は実際の使用時に以下のような欠点を有している。
１．調整シートと底座の階段形歯の係合位置を路面の高さに応じて調整する時、調整できる昇降範囲が一定高さに制限され、余分に高さ調整範囲を増加することはできず、高さ調整の要求に影響を与える。
２．１を受けて、係合位置が最低位置とされる時、当然調整シートと底座の強固で安定した噛み合わせを確保できるが、一旦調整動作を行なうと、調整シートと底座の階段形歯が点接触を形成して上蓋を更に閉じ合わせると、調整シートの支持不足の現象が発生し、マンホールの蓋装置の使用寿命が影響が生じる。
３．１を受けて、調整シートと底座の階段形歯は緊密に係合、接合できず、調整シートと底座の階段形歯間に間隙が発生し、最後に底座の周囲をコンクリートで補填して路面と平坦になるようにする時、コンクリートが間隙より底座内部に進入して後日に別に掃除作業を行なわねばならなくなり、作業の不便が増し、更にコンクリートが底座内部に進入することで、注入したコンクリート量が路面を平坦に補填するのに不足し、コンクリートの注入量が増加し、直接費用の支出を増し、また補填過程でコンクリートの流失が路面補填の平坦度に影響を与え、作業の不便を形成した。
４．階段形歯が底座に設けられているため、調整シートと底座の階段形歯を係合させる時、調整シートが直立状設計に制限され、ゆえに調整後に路面の傾斜角度に応じて調整することができず、各マンホールの蓋装置の施工の前に測量補正しなければ実際の施工の要求に符合せず、そうでなければサイズがマッチせず施工作業の不便を形成し、施工品質に影響を与えた。
【考案の開示】
【考案が解決しようとする課題】
【０００５】
本考案の目的は、一種のマンホールの蓋装置を提供することにあり、それは、比較的大きな高さ範囲で調整が行なえ、並びに路面の傾斜に応じて適時に角度変化を調整でき、施工作業の便利性を増すことができるものとする。
【課題を解決するための手段】
【０００６】
請求項１の考案は、マンホールの蓋装置において、底座、調整装置、上蓋を具え、
該底座は、路面に設けられた孔内に進入する環状壁を具え、且つ該環状壁で囲まれて収容空間が形成され、該環状壁より該収容空間に向けて環状リブが延伸され、
該調整装置は、該収容空間中に挿入され、該調整装置は該環状リブの上に設置される内ベースと調整シートを具え、該内ベースの周壁内周に複数の階段形歯が離間設置され、該調整シートの周壁外周に該階段形歯に対応する階段形歯が凸設され、該内ベースと調整シートが階段形歯の係合により相互に位置決めされ、
該上蓋は該調整シートを閉じるように調整シートの上に設置されることを特徴とする、マンホールの蓋装置としている。
請求項２の考案は、請求項１記載のマンホールの蓋装置において、調整シートの底座外部に突出する部分の周壁外側に保護環が嵌合されたことを特徴とする、マンホールの蓋装置としている。
請求項３の考案は、請求項２記載のマンホールの蓋装置において、底座の環状壁外周に複数の凸耳が離間設置され、保護環の該凸耳に対応する位置に複数の凸耳が設けられ、該凸耳を利用し固定手段により底座と保護環が固定されたことを特徴とする、マンホールの蓋装置としている。
請求項４の考案は、請求項１記載のマンホールの蓋装置において、底座の環状リブに複数の支持ブロックが相互に離間するよう凸設され、且つ該支持ブロックに位置決め溝が開設され、内ベースの周壁内側に凸環が凸設され、該凸環にあって該位置決め溝に対応する位置に開孔が設けられ、固定手段により底座と内ベースが固定されたことを特徴とする、マンホールの蓋装置としている。
請求項５の考案は、請求項１記載のマンホールの蓋装置において、環状リブと内ベースの間に介装部材が介装されたことを特徴とする、マンホールの蓋装置としている。
請求項６の考案は、請求項５記載のマンホールの蓋装置において、介装部材の一端面に傾斜面が形成されたことを特徴とする、マンホールの蓋装置としている。
請求項７の考案は、請求項１記載のマンホールの蓋装置において、上蓋に凹溝が開設され、該凹溝に可動手段が設けられ、別に上蓋に洩圧装置が設けられ、該洩圧装置が可動手段と協動して可動手段の凹溝における開閉を制御することを特徴とする、マンホールの蓋装置としている。
請求項８の考案は、請求項７記載のマンホールの蓋装置において、洩圧装置が上蓋に固定され且つ内部に設置空間を具えたベースと、該設置空間内に収容された弾性体、支持体を具え、該支持体が可動手段と協動することを特徴とする、マンホールの蓋装置としている。
請求項９の考案は、請求項１記載のマンホールの蓋装置において、上蓋に開口が開設され、別に該上蓋の該開口位置に対応する位置に係止装置が設けられ、該係止装置が、本体、弾性手段、支持棒、スイングアームを具え、
該本体は該上蓋に設けられ、且つ上蓋と固定された後に収容空間を形成し、
該弾性手段は収容空間内に収容され、
該支持棒は該収容空間中に収容され且つ弾性手段を貫通し、弾性手段の両端が該本体と該支持棒に当接し、該支持棒が係止端と、該係止端と反対の連結端を具え、該係止端が本体外に突出可能とされ、
該スイングアームは本体に枢設され、中心点が該開口に位置し、スイングアーム内に該開口と連通する係止溝が形成され、別に該スイングアームの自由端が支持棒の連結端と接続され、スイングアームの駆動により支持棒が移動し、該支持棒による調整シートに対する係止が制御され、該支持棒の伸縮にスイングアームの揺動が利用されて該上蓋の開閉が制御されることを特徴とする、マンホールの蓋装置としている。
請求項１０の考案は、請求項９記載のマンホールの蓋装置において、係止装置が連動ブロックが凸設されたロックキーを具え、該ロックキーが開口内に延伸可能で、且つ該連動ブロックがスイングアームの揺動を係止することを特徴とする、マンホールの蓋装置としている。
請求項１１の考案は、請求項１０記載のマンホールの蓋装置において、スイングアームの自由端と該支持棒の間に連接棒が連接され、該連接棒により支持棒が駆動されて移動することを特徴とする、マンホールの蓋装置としている。
【考案の効果】
【０００７】
本考案のマンホールの蓋装置は、上蓋、底座及び調整装置を具え、該調整装置が該底座に延設された内ベースと、該内ベースと係合する調整シートを具え、該内ベースと該底座の間の非固定状態を利用し、適時に介装部材を補填し、調整可能な高さ範囲を増すほか、適時に傾斜に合わせた設計のパッキンを組み合わせるか、或いは底座の内ベース設置部分に傾斜設計を設けることで、調整シートを路面に応じて傾斜調整でき、更に内ベースと底座の相互に対応する階段形歯の係合により、快速に高さを昇降調整でき、施工作業の便利性を増す。
【考案を実施するための最良の形態】
【０００８】
図３に示されるように、本考案のマンホールの蓋装置２は、底座２１、調整シート２２及び上蓋２３を具えている。そのうち、該底座２１に環状壁２１１が凸設され、該環状壁２１１の外周に複数の凸耳２１２が相互に離間するよう環状に配置され、該環状壁２１１に囲まれて中空の収容空間２１３が形成され、また該環状壁２１１より収容空間２１３に環状リブ２１４が延伸されている。更に、調整シート２２は内ベース２２１と調整シート２２２を具え、該内ベース２２１の周壁２２３に複数の階段形歯２２４が相互に離間するよう環状に配置され、調整シート２２２の周壁２２５の、該階段形歯２２４に対応する位置に、階段形歯２２６が相互に離間するように凸設され、また該周壁２２５内に凸環２２７が凸設され、該調整シート２２２の上昇後に係合部分に間隙が発生するのを防止するため及び調整シート２２２の支持強度を増すために、調整シート２２２が底座２１外に突出する周壁２２５の外部に、保護環２４が嵌合され、該保護環２４の該凸耳２１２に対応する位置に、相互に対応する凸耳２４１が凸設されている。
【０００９】
図４に示されるように、上蓋２３は該調整シート２２２の上に閉じ合わされ、該上蓋２３に凹溝２３１が開設され、且つ該凹溝２３１に可動手段２３２が設けられ、別に上蓋２３に洩圧装置２９が設けられ、該洩圧装置２９は並びに可動手段２３２の運動に連動し、前述の洩圧装置２９は上蓋２３に固定され且つ内部に設置空間２９２を具えたベース２９１と、該設置空間２９２内に収容される弾性体２９３、支持体２９４を具え、前述の支持体２９４は該可動手段２３２の運動に連動する。
【００１０】
図３、５に示されるように、底座２１は路面３に先に設けられた孔３１に埋め込まれ、且つ内ベース２２１が該収容空間２１３内に挿入され並びに環状リブ２１４の上に設置され、該調整シート２２２は内ベース２２１の上に重ね置かれ、該調整シート２２２と該内ベース２２１の階段形歯２２４、２２６が相互に係合させられる。このとき、路面３に合わせて高さの調整作業を行なえ、また即ち該調整シート２２２と内ベース２２１の階段形歯２２４、２２６の相互係合により調整シート２２２の高さを調整でき、即ち図５中に示されるように、調整シート２２２を点線ａの位置から実線ｂの位置まで高く調整でき、これにより上蓋２３を調整シート２２２に置く時、路面３と高さが揃うようにして施工品質を維持することができ、最後にコンクリート３２の補填作業を行なう時、調整シート２２２の高さを上昇させた後に発生しうる係合部分の間隙を発生させず、調整シート２２２の支持強度を増す。また保護環２４を嵌合し、且つ固定手段４で保護環２４の凸耳２４１と底座２１の凸耳２１２を位置決めすることで、コンクリート３２注入時に間隙部分より底座２１内部に進入させず、即ち予め決められたコンクリート３２量で路面３と揃った状態に補填でき、コンクリート３２の注入量を増す必要がなく、余分なコスト支出を防止すると共に、作業の便利性を増す。
【００１１】
図４に示されるように、施工業者が上蓋２３で調整シート２２２を覆う時、孔３１内に圧縮された気圧が発生してこの気圧圧力が弾性体２９３より大きいと、気圧が支持体２９４を押圧し、支持体２９４と一体に可動手段２３２が動作して弾性体２９３を圧縮し、可動手段２３２が凹溝２３１で開放状態を呈し（図の点線で表示）、気圧が該凹溝２３１部分より釈放されて減圧され、気圧圧力が弾性体２９３の作用力より小さくなると、弾性体２９３が弾性回復力により支持体２９４を押して定位に回復させ、即ち可動手段２３２を閉じた状態となし（実線で表示）、これにより閉合時に発生する気圧問題が解決される。
【００１２】
図６は本考案の第２実施例を示し、それは底座２１、調整装置２２及び上蓋２３を具え、これら各部品の構造設計及び相互間の組合せと高さ調整方式は先の実施例と同じであるため説明は省略する。この実施例では特に、底座２１の環状リブ２１４に複数の支持ブロック２１５が相互に離間するよう環状に凸設され、且つ支持ブロック２１５に位置決め溝２１６が設けられ、別に凸環２２７の位置決め溝２１６に対応する位置に開孔２２８が設けられ、更に環状リブ２１４と該内ベース２２１の間に異なる厚さの介装部材２５が設けられ、或いは複数の介装部材２５が堆積方式で設けられ、調整シート２２２の高さ調整範囲を増すほか、調整シート２２２の傾斜角度を調整して路面傾斜角度に符合させる要求を達成するために、介装部材２５の一端面に傾斜面２５１が形成され、本実施例では、介装部材２５は単一形態とされ、且つ該介装部材２５に傾斜面２５１が設けられている。
【００１３】
図７は介装部材２５の取付方式を説明する。本実施例の組付け時には、実際の路面３の実際の傾斜変化に応じて、適時に介装部材２５を組み合わせ、即ち該内ベース２２１の設置角度に介装部材２５の傾斜面２５１により傾斜を発生させ、その後、さらに固定手段４で底座２１の凸耳２１２と保護環２４の凸耳２４１を固定し、該介装部材２５の設置位置を制限し、並びにマンホールの蓋装置２の各部品の結合強度を高める。
【００１４】
更に、該調整装置２２の、高度調整範囲を増すには、前述の実施例のように介装部材２５を設置するほか、図８に示されるように、底座２１にあって直接環状リブ２１４の厚さを増すか、或いは環状リブ２１４に傾斜面（図中では傾斜角度αを以て表示されている）を形成しても、いずれも同じ効果を達成できる。
【００１５】
図９、１０を参照されたい。本考案の第４実施例によると、その各部品は第２実施例と同じであり、底座２１、調整装置２２、上蓋２３、保護環２４及び介装部材２５を具え、これらの部品の組合せと調整方式は前述の実施例と同じであるため、説明は省略する。この実施例では特に、底座２１と保護環２４の間に介装環２６が設けられ、別に上蓋２３に開口２３３が開設され、且つ上蓋２３に係止装置２８が設けられている。
【００１６】
図１１を参照されたい。この係止装置２８は本体２８１、弾性手段２８２（例えばバネ）、支持棒２８３及びスイングアーム２８４を具えている。該本体２８１は該上蓋２３の上に設置され、且つ固定後に収容空間２９を形成する。また、弾性手段２８２は該収容空間２９内に設置される。別に、該支持棒２８３は該収容空間２９中に収容され且つ該弾性手段２８２が該支持棒２８３に挿通され、該弾性手段２８２の両端が本体２８１と支持棒２８３に当接し、該支持棒２８３が係止端２８５と該係止端２８５と反対の連結端２８６を具え、該係止端２８５が適時に該本体２８１外に突出する。更に該スイングアーム２８４は本体２８１に枢設され、且つ該スイングアーム２８４の中心点が該開口２８６に位置し、該スイングアーム２８４内に該開口２３３と連通する係止溝２８７が設けられ、別に該スイングアーム２８４の自由端２８８が支持棒２８３の連結端２８６と接続されて、該スイングアーム２８４の揺動により支持棒２８３が駆動されて移動し、該支持棒２８３が制御されて調整シート２２２を係止する。
【００１７】
図１２を参照されたい。該係止装置２８は更に連動ブロック６１が延伸されたロックキー６を具え、該ロックキー６は該開口２３３内に延伸可能で、且つ該連動ブロック６１は該係止溝２８７内に延伸されてスイングアーム２８４を押して揺動を発生させる。そのうち、スイングアーム２８４の自由端２８８と該支持棒２８３の間に連接棒２８９が接続され、これによりスイングアーム２８４の揺動により連接棒２８９が該支持棒２８３を駆動して該支持棒２８３に調整シート２２２を係止させる。
【００１８】
応用方式において、施工者はロックキー６を開口２３３内に挿入し、且つ連動ブロック６１に係止溝２８７を係止させ、該ロックキー６を回転させればスイングアーム２８４が揺動を発生し、これにより支持棒２８３が本体２８１内に内縮し、これにより速やかに上蓋２３を離すことができ、ゆえに操作上、簡単、便利である。
以上の説明から分かるように、本考案を周知の技術と比較すると、実用上、以下のような機能が増している。
１．全体強度が増す。
底座の支持ブロックと内ベースの位置決めブロックの係合、保護環の凸耳と底座の凸耳の係合、及び上蓋の係止装置の増設により、固定後の各部品の結合強度が大幅に増し、これによりマンホールの蓋装置の高さ調整後の支持強度が増している。
２．費用が減る。
保護環の設置により、施工完成時のコンクリートが間隙部分より底座内部に進入することがなく、所定のコンクリート量の補填で路面と揃った状態とすることができ、これによりコンクリートの注入量を増す必要がなく、余分のコスト支出がない。
３．角度変化可能である。
介装部材の設置、或いは環状リブに設けた傾斜態様等により内ベースの傾斜角度を調整でき、施工の便利性が増すほか、施工品質を向上できる。
４．調整範囲が増す。
３項を受け、調整装置の調整可能な範囲が不足する時に、介装部材で調整したい範囲を増すことができ、路面の高さに応じて調整範囲を大幅に増すことができ、更に施工者が各孔と路面の高さの違いにより困ることがなくなり、特別規格のマンホール装置を注文する必要がなく、コスト支出を下げることができ、大幅に経済価値を高める。
【００１９】
以上をまとめると、本考案のマンホールの蓋装置は大きな高さ範囲の調整が行なえるほか、路面の傾斜角度に応じて適宜傾斜角度を調整でき、ゆえに施工作業の便利性と機能を増進できる。なお、以上の実施例は本考案の実施範囲を限定するものではなく、本考案に基づきなしうる細部の修飾或いは改変は、いずれも本考案の請求範囲に属するものとする。
【図面の簡単な説明】
【００２０】
【図１】周知のマンホールの蓋装置の表示図である。
【図２】周知のマンホールの蓋装置の組合せ断面図である。
【図３】本考案の第１実施例の立体図である。
【図４】図３の洩圧装置の断面図である。
【図５】本考案の第１実施例の組合せ断面図である。
【図６】本考案の第２実施例の立体図である。
【図７】本考案の第２実施例の組合せ断面図である。
【図８】本考案の第３実施例の組合せ断面図である。
【図９】本考案の第４実施例の立体図である。
【図１０】本考案の第４実施例の組合せ断面図である。
【図１１】本考案の実施例の係止装置の断面図である。
【図１２】本考案の実施例の係止装置の別の断面図である。
【符号の説明】
【００２１】
１１、２３  上蓋                      １２、２２２  調整シート
１３、２１  底座                      １３２、２１３  収容空間
１３１、２１１  環状壁                １４、３１  孔
１５、３２  コンクリート              ２２  調整装置
２２１  内ベース                      ２１４  環状リブ
２４  保護スリーブ                    ２１２、２４１  凸耳
２１５  環状溝                        ２２７  凸環
２２８  開孔                          ２５  介装部材
２５１  傾斜面                        ３  路面
４  固定手段                          ２８  係止装置
１２１、２２３、２２５  周縁壁        ２９  洩圧装置
１２２、１３３、２２４、２２６  階段形歯    ２３１  凹溝
２３２  可動手段                      ２９１  ベース
２９２  設置空間                      ２９３  弾性体
２９４  支持体                        ２３３  開口
２９  収容空間                        ２８１  本体
２８２  弾性手段                      ２８３  支持棒
２８４  スイングアーム                ２８５  係止端
２８６  連結端                        ２８７  係止溝
２８８  自由端                        ２８９  連接棒
６  ロックキー                        ６１  連動ブロック
【図１】
0003105464.tif 000003
【図２】
0003105464.tif 000004
【図３】
0003105464.tif 000005
【図４】
0003105464.tif 000006
【図５】
0003105464.tif 000007
【図６】
0003105464.tif 000008
【図７】
0003105464.tif 000009
【図８】
0003105464.tif 000010
【図９】
0003105464.tif 000011
【図１０】
0003105464.tif 000012
【図１１】
0003105464.tif 000013
【図１２】
0003105464.tif 000014